(57)【要約】【目的】推進発生器は、ペットボトルで形成することで、推進力を利用し強制開脚羽滑空機を滑空し、または、倒立しながら滑空が可能になり遊びの自由度や楽しみが広がった。【構成】強制開脚羽滑空機装置は、強制開脚羽滑空機２７、分離装置２８、推進発生器１４、空気分離栓３５に分類し発射台４２の上に立設する。強制開脚羽滑空機２７に浮揚羽１０ａ，１０ｂが揺動装置の支点軸３３ａ，３３ｂを中心に弾性力発生部弾性力発生部位９の弾性力で強制的に広げることで、回転しながら滑空する。また、強制開脚羽滑空機２７は、倒立滑空が可能で、今までに無い、楽しみや面白さが増す。【選択図】  図１
2004160089.tif 000002
【特許請求の範囲】
【請求項１】
強制開脚羽滑空機装置は、強制開脚羽滑空機、分離装置、推進発生器、空気分離栓で構成され、推進発生器の推進力で該推進発生器と強制開脚羽滑空機は、共に上空まで上昇し強制開脚羽滑空機の頭部に設けた分離装置から分離された強制開脚羽滑空機は、浮揚羽揺動装置により浮揚羽を強制的に広げ回転しながら滑空をすることを特徴とする強制開脚羽滑空装置。
【請求項２】
請求項１の分離装置は、調整ブラケットと分離案内管で構成され、強制開脚羽滑空機の支柱部位の終端に分離案内部位に挿着後、案内螺子で螺設され該案内螺子に掛止部を形成し該掛止部に係着する分離案内掛止部は、分離案内管に形成され、該分離案内管は、推進発生器の頭部に載設された後に浮揚羽を掛止保持する突設部を形成し調整ブラケットが分離案内管に回動自在に押圧挿着されことを特徴とする請求項１記載の強制開脚羽滑空機装置
【請求項３】
請求項１の強制開脚羽滑空機に設けてある浮揚羽揺動装置の支点軸より上部は、向かい角螺子で強制開脚羽滑空機の揺動管に螺設され、浮揚羽揺動装置の支点軸より下部は、浮揚羽は螺設しコニング調整螺子の挿入し浮揚羽を挟んでコニング調整螺子の頭部に掛止部を形成し螺設先端部に突出し量が形成され浮揚羽に通し穴を形成し弾性力発生部を浮揚羽の上面から互いに挿通しコニング調整螺子の掛止部に掛止することで弾性力発生部位は、張設され浮揚羽は、常時広げようとする弾性力が発生することを特徴とする請求項１記載の強制開脚羽滑空機装置
【発明の詳細な説明】
【０００１】
【産業上の利用分野】推進発生器は、ペットボトルで形成し水と空気を充填し強制開脚浮揚羽滑空を上空まで打ち上げ落下の際、強制開脚浮揚羽滑空が回転しながら滑空、叉は倒立滑空する遊具の強制開脚羽滑空機装置に関するものである。
【０００２】
【従来の技術】従来はテレビや雑誌で紹介されいたように、推進発生器の利用方法として圧縮空気で水を噴出しその反作用を利用し推進発生器を水ロケットとして、より遠く、より高く飛ばすだけで、遊びや楽しみの幅は、狭かった。
【０００３】
【発明が解決しようとする課題】推進発生器の本体をただ遠くに飛ばしたり上空まで上げたりすのではなく推進力を別な利用方法としては、推進発生器の頭部に強制開脚羽滑空機を挿着ご推進力を利用し上空まで打ち上げ、強制開脚羽滑空機に機構を持たせることで、打ち上げ時は、浮揚羽を折りたたみ抵抗を少なく発射し上空に上がると竹細工の竹とんぼのように浮揚羽を広げ落下しながら回転することで揚力を発生し上空から滑空する、遊びや楽しみの幅の広さが課題とする。また、上空とは、ここでは、推進発生器に、水と圧搾空気を充填した条件下において３０〜４０ｍまでの高度の範囲である
【０００４】
【発明が解決するための手段】上記目的を達成するため、本発明は、前記課題の解決手段として、強制開脚装置は、推進発生器、分離装置、空気分離栓、強制開脚羽滑空機に構成する。まず、推進発生器の頭部に分離装置を設け強制開脚羽滑空機が分離可能に挿着し、推進発生器の下部に空気分離栓が密栓され空気ポンプから空気分離栓を通し空気を推進発生器に充填され該推進発生器の空気分離栓が空気圧により抜け、水が噴射されことで推進力が発生し慣性力で上空まで上昇し重力下もとで自然に分離装置から強制開脚羽滑空機が分離し、それと同時に浮揚羽が弾性力発生部の弾性力により強制的に広げ回転しながら揚力得て滑空する。また、肉厚を厚めにした浮揚羽に交換することで重量が増し分、増強制開脚羽滑空機のノーズコーン側へ重心を移動し反転しやすくになり回転しながら倒立滑空したことを特徴する。
【０００５】
【作用】推進発生器に適宜量の水を入れ空気分離栓が密栓し、打ち上げ時の抵抗少なくする為、分離案内管１２の分離案内係止部にガイドされながら分離可能に強制開脚羽滑空機２７を挿着、同時に分離装置に強制開脚羽滑空機の浮揚羽を折りたたむように分離装置の調整ブラケットの突設部に掛止保持し、次ぎに、空気分離栓より空気ポンプで推進発生器の内部の空気を充填し限界空気圧力になると空気分離栓は、抜け推進発生器に推進力が発生し強制開脚羽滑空機は、上昇後、重力下のもとで自然に分離装置から強制開脚羽滑空機が分離し、同時に強制開脚羽滑空機の浮揚羽は、弾性力発生部位の弾性力により強制的に浮揚羽を広げ、落下しながら回転し揚力を発生することで滑空する。また、強制開脚羽滑空機の倒立滑空は、浮揚羽の肉厚を厚くすることで、重量が増し強制開脚羽滑空機の重心をノーズコーン側へ移動する。
【０００６】
【実施例】以下、本発明の実施例を図面に従って説明する。図１より強制開脚羽滑空機２７、分離装置２８、推進発生器１４、空気分離栓３５で構成する。図１の強制開脚羽滑空機２７は、分離装置２８から分離し該強制開脚羽滑空機２７の強制的に広げ浮揚羽１０ａ，１０ｂは、２点鎖線で描いた図となる。
【０００７】図２より強制開脚羽滑空機２７の構造と作動を説明する。支持部位３１に揺動管１５を挿着し、揺動管螺子３０で該揺動管１５を螺設し支持部位３１の始端にノーズコーン１を設け該支持部位３１の終端に支柱部位１９の始端を挿着し固定螺子３２で螺設され支柱部位１９の終端に分離案内部位２１に挿着し案内螺子２０で螺設後、該案内螺子２０が適宜長で掛止部３７を形成する。また、支柱部位１９を交換するときは、案内螺子２０や固定螺子３２で緩めることで簡単に交換できる構造である。
【０００８】次ぎに、浮揚羽１０ａ，１０ｂの根元部分の下面に補強板６ａ、６ｂを接着し、上面に浮揚羽揺動装置３ａ、３ｂが浮揚羽１０ａ，１０ｂは交換可能にする為、浮揚羽の付け根部分に螺子１８ａ，１８ｂ，１８ｃ，１８ｄと浮揚羽取り付けナット５ａ、５ｂ、５ｃ、５ｄで螺設し支点軸３３ａ、３３ｂを中心に浮揚羽１０ａ，１０ｂは、揺動する構造である。浮揚羽を交換するときは、浮揚羽取り付け螺子１８ａ，１８ｂ，１８ｃ，１８ｄ、浮揚羽取り付けナット５ａ、５ｂ、５ｃ、５ｄとコニング調整螺子４ａ、４ｂとコニング調整ナット１７ｃ，１７ｄを緩め交換する。また、各種部位の材質は、支柱部位１９、支持部位３１の材質は、木か竹ひごを使用し揺動管１５は、アルミパイプを使用し浮揚羽１０ａ，１０ｂは、バルサか発泡材を使用する。
【０００９】図３より前節で説明した構造と作動を浮揚羽１０ａ，１０ｂの広げ方の説明をする。まず、浮揚羽１０ａ，１０ｂ，の根元に補強板６ａ、６ｂで形成し浮揚羽揺動装置３ａ、３ｂの下部中央に穿設してある孔に、コニング調整螺子４ａ、４ｂの頭とネシ゛部に掛止部３８ａ、３８ｂを形成後、挿入しコニング調整ナット１７ａ，１７ｂで浮揚羽揺動装置３ａ、３ｂを螺設する。
【００１０】次ぎに、浮揚羽揺動装置３ａ、３ｂは、兆番を使用し浮揚羽揺動装置３ａ、３ｂの支点軸３３ａ，３３ｂを中心に上・下部が揺動しうる構造で、その上部を揺動管１５の内部は螺刻が形成し、向かい角調整螺子１６ａ，１６ｂで、浮揚羽揺動装置３ａ、３ｂと当て板８ａ，８ｂを合わせて螺設することで、最初に浮揚羽１０ａ，１０ｂは、実線で描いたように折りたたんだ状態となっており、支点軸３３ａ，３３ｂを中心に浮揚羽１０ａ，１０ｂは、二点鎖線で描いたように広がる。また、前記説明の当て板８ａ，８ｂの材質は、塩ビ板を折曲し、浮揚羽揺動装置３ａ、３ｂの上部の縁部に輪ゴムからなる弾性力発生部位９が接触する為、引っ張られるので弾性力発生部位９は、細くなり浮揚羽揺動装置３ａ、３ｂの上部の縁部で切れやすくなり、これを防ぐため当て板８ａ，８ｂを設ける。
【００１１】次ぎは、浮揚羽１０ａ，１０ｂの強制的に広げ方の説明する。前節で説明したように浮揚羽揺動装置３ａ、３ｂは、支点軸３３ａ，３３ｂを中心に浮揚羽１０ａ，１０ｂが揺動可能になる。次ぎに、弾性力発生部位９の輪の内側を掛止部３８ａに掛止し、弾性力発生部位９の輪のもう一方を浮揚羽１０ａの通し穴７ａに挿通した後に、浮揚羽１０ｂの通し穴７ｂに挿通し掛止部３８ｂに掛止することで弾性力発生部位９は張設する。この結果、強制的に浮揚羽１０ａ、１０ｂは、浮揚羽揺動装置３ａ、３ｂの支点軸３３ａ、３３ｂを中心に強制的に広げ向かい角調整螺子１６ａ，１６ｂの頭部がコニング調整螺子４ａ、４ｂの先端に衝止し強制的に浮揚羽の広がった状態を形成する。
【００１２】図４より分離装置２８について構造と作動を説明する。分離装置２８に調整ブラケット１３、分離案内管１２の部品等で構成し、これらの材質は塩ビかポリカーボネートを使用され推進発生器１４の頭部は、分離装置２８が設けられる。まず、前に触れた調整ブラケット１３は、折曲した２箇所に突設部２９を形成し中央に孔が穿設し分離案内管１２に押圧挿着する。また、推進発生器１４の頭部に分離案内管１２が接着か溶融で固定し該分離案内管１２は、強制開脚羽滑空機２７の浮揚羽１０ａ，１０ｂが強制的に広げ弾性力発生部位９の弾性力で調整ブラケット１３の突設部２９の内側に当り、分離案内部位２１の案内螺子２０の掛止部３７が分離案内管１２の分離案内係止部１１にガイドされながら分離可能に強制開脚羽滑空機２７を挿着保持される。また、案内螺子２０の掛止部３７が必要な理由は、弾性力発生部位９の弾性力で浮揚羽１０ａ，１０ｂが調整ブラケット１３の突設部２９に当り強制開脚羽滑空機２７は、上から見て右回転のモーメントが発生し浮揚羽１０ａ，１０ｂが調整ブラケット１３から外れる為である。
【００１３】図５より推進発生器１４と空気分離栓３５の関係を説明する。まず、空気分離栓３５はゴム栓２５、空気注入管２４で構成し該ゴム栓２５の中央を貫通し空気注入管２４が押圧挿着した後、推進発生器１４の口元２３に密栓する。ゴム栓２５の材質は、ゴム系で空気注入管２４の材質は、アルミパイプを使用する。
【００１４】また、強制開脚羽滑空機２７の上昇方向を安定するため推進発生器１４に方向安定板２２ａ、２２ｂを接着かプラスチック溶融で固定し方向安定板２２ａ、２２ｂの材質は、塩ビ板を使用する。
【００１５】図６より向かい角の調整方法を説明する。向かい角３４ａ、３４ｂの定義は、浮揚羽１０ａの縁部部５ａと水平線の交点をＡ点とそのなす角を向かい角３４ａとし、浮揚羽１０ｂの縁部部５ｂと水平線の交点をＢ点とそのなす角を向かい角３４ｂとする。まず、向かい角調整螺子１６ａ，１６ｂを緩め手前の浮揚羽１０ｂ左上がりの向かい角３４ｂを適宜角に調整し、反対側の浮揚羽１０ａ右上がりの向かい角３４ａも向かい角３４ｂと同じ向かい角に調整する。次ぎに、浮揚羽１０ａ、１０ｂの向かい角３４ａ、３４ｂで滑空性能に影響する。例えば、向かい角３４ａ、３４ｂを大きくとると回転し始めは早く、滑空時間が短くなり、この向かい角３４ａ、３４ｂが小さくすると浮揚羽１０ａ，１０ｂの回転始めは、遅くなるが回転すると滑空時間が長くなる。
【００１６】図７よりコニング角２６ａ，２６ｂの調整方法を説明する。浮揚羽１０ａ，１０ｂに形成しているコニング調整螺子４ａ、４ｂに向かい角調整螺子１６ａ，１６ｂに衝止しコニング角２６ａ，２６ｂは形成しこれが浮揚羽１０ａ，１０ｂが広がる角度である。コニング調整方法は、コニング調整螺子４ａ、４ｂのコニング調整ナット１７ａ、１７ｂ、１７ｃ、１７ｂを緩めコニング調整螺子４ａ、４ｂの突出し量４０ａ、４０ｂを調整しコニング調整螺子４ａ、４ｂの通し、個々に調整を行い適宜コニング角２６ａ，２６ｂが終了するとコニング調整ナット１７ａ、１７ｂ、１７ｃ、１７ｂで螺設することで調整は、終了する。例えば、コニング調整螺子４ａ、４ｂの突出し量を多くするとコニング角２６ａ，２６ｂが小さく形成し突出し量を小さくするとコニング角２６ａ，２６ｂが大きく形成し、該コニング角２６ａ，２６ｂの必要性は、仮に横風を受け傾いた場合、浮揚羽１０ａ，１０ｂに揚力が発生するモーメントで復元性がよくなり、強制開脚羽滑空機２７が傾いても復元力により元の状態に戻り滑空する。
【００１７】図８より、推進発生器１４の頭部の分離装置２８を設けてある上面図である。まず、強制開脚羽滑空機２７を推進発生器１４に重力下のもとで自然に分離するだけでなく、他の役目として強制開脚羽滑空機２７は、打ち上げの際の調整方法を説明する。例えば、調整ブラケット１３を上から見て左に回すと浮揚羽１０ａ、１０ｂは、広げようとし浮揚羽１０ａ、１０ｂの上面が見えるようになり、今度は逆に調整ブラケット１３に右に回すと浮揚羽１０ａ，１０ｂを萎めようとするため下面が見え、打ち上げの際、抵抗となり強制開脚羽滑空機２７と推進発生器１４にモーメントが発生し、その分、速度エネルギーの損失が大きくなり上昇高度が低くなるので浮揚羽１０ａ、１０ｂの上・下面が見えないように調整ブラケット１３を分離案内管１２中心に図８のように矢印方向に左右に回し浮揚羽１０ａ、１０ｂの上・下面が見えないように調整する。この結果、打ち上げの際の風抵抗が少なく強制開脚羽滑空機２７の上昇高さも高くなる。
【００１８】また、打ち上げの際の風向２２も重要で、調整ブラケット１３の突設部２９ａ、２９ｂのない方向を風向２２に向けて強制開脚羽滑空機２７を打ち上げる。例えば、上記の調整をしなかった場合は、風向２２が浮揚羽１０ａの上面と浮揚羽１０ｂの下面に横風の影響を受ける。この調整方法は、発射台４２（図指示無し）に挿着した推進発生器１４は調整ブラケット１３の突設部２９ａ、２９ｂのない方向に風向２２に合わせる為、強制開脚羽滑空機２７を動かし調整する。打ち上げの際に横風の影響を最小にする目的である。
【００１９】図９より推進発生器１４の頭部の分離装置２８が設けてあるところは、空気圧によって均一に推進発生器１４の頭部が膨らみ、この膨らみ量４１が形成し調整ブラケット１３を上方向に数ミリ程度に、分離案内管１２にガイドされ押し上げ、この結果、推進発生器１４に余分な力が加わらないようになる。
【００２０】図１０より今度は、実際に強制開脚羽滑空機２７打ち上げの説明する。まず、推進発生器１４の内部に水２を適宜量に充填し、空気分離栓３５のゴム栓２５を推進発生器１４の口元２３に密栓し、発射台４２に挿着後に、空気ポンプ３９のノズル４３を空気注入管２４に挿着する。
【００２１】次ぎに分離装置２８に強制開脚羽滑空機２７の浮揚羽１０ａ、１０ｂを折りたたむようにし、分離装置２８の分離案内管１２の分離案内係止部１１に分離案内部位２１の案内螺子２０をガイドし分離案内管１２に挿着し、同時に浮揚羽１０ａ、１０ｂは、調整ブラケット１３の突設部２９の内側に掛止することで浮揚羽１０ａ、１０ｂは、保持され推進発生器１４の頭部に強制開脚羽滑空機２７が挿着立設する。
【００２２】図８で説明したように、浮揚羽１０ａ、１０ｂは調整ブラケット１３を左右に回し調整し突設部２９にない方向に風向き２２ａ，２２ｂに、強制開脚羽滑空機２７を動かして合わせる。次ぎに空気ポンプ３９のノズル４３で空気注入管２４に挿着し推進発生器１４に空気が充填することで内部の圧力が増しゴム栓２５の面積に空気圧力が加わり、空気分離栓３５は、抜けて水２を噴出し強制開脚羽滑空機２７、分離装置２８と推進発生器１４は、上昇する。
【００２３】図１１より強制開脚羽滑空機２７、分離装置２８と推進発生器１４は上空まで上昇し、重力に依る自由落下に強制開脚羽滑空機２７の分離案内部位２１と分離装置２８の分離案内管１２は、外れ同時に調整ブラケット１３の突設部２９から浮揚羽１０ａ、１０ｂも外れ推進発生器１４は、分離し最初に落下し、その後、強制開脚羽滑空機２７の浮揚羽１０ａ、１０ｂは、弾性力発生部位９の弾性力により強制的に広げ、強制開脚羽滑空機２７の落下にともない空気を受けて該強制開脚羽滑空機２７の浮揚羽１０ａ、１０ｂは、回転しがら揚力を得て滑空する。
【００２４】図１２より倒立滑空の説明をする。浮揚羽の肉厚を厚く変更することで強制開脚羽滑空機２７の前方のノーズコーン側へ重心を移動する。例えば浮揚羽１０ａ、１０ｂのバルサの厚さを１．５ｍｍから２ｍｍ以上にすると、前方のノーズコーン側へ重心が移動する。浮揚羽１０ａ、１０ｂの厚みを変えた強制開脚羽滑空機２７を上昇し、重力に依る自由落下に強制開脚羽滑空機２７の分離案内部位２１と分離装置２８の分離案内管１２は、外れ同時に調整ブラケット１３の突設部２９から浮揚羽１０ａ、１０ｂも外れ推進発生器１４は、分離され最初に落下しその後、強制開脚羽滑空機２７の浮揚羽１０ａ、１０ｂは、弾性力発生部位９の弾性力により強制的に広げ、強制開脚羽滑空機２７の前方に重心が移動した為に、反転し強制開脚羽滑空機２７は、倒立滑空する。
【００２５】
【発明の効果】推進発生器に適宜量の水を入れ空気分離栓を密栓し、発射台に立設し分離装置に強制開脚羽滑空機の浮揚羽は、掛止保持し空気分離栓より空気ポンプで推進発生器の空気分離栓は、外れ慣性力で上空まで上昇し上昇終了後、重力下のもとで自然に分離装置から強制開脚羽滑空機の浮揚羽は、弾性力発生部位の弾性力により強制的に広げたことで竹細工の竹とんぼのように浮揚羽を広げ、回転し揚力を発生し滑空する。また、強制開脚羽滑空機は、倒立滑空する。これは、浮揚羽の厚みを厚くし重量が増した分、強制開脚羽滑空機の重心を前方へ重心が移動されノーズコーン側に重心を移動したものを滑空すると打ち上げた際、強制開脚羽滑空機は、回転しながら倒立滑空する。これらの事で遊びの自由度が広がりただ遠くに飛ばすだけでなく、回転しながら竹とんぼのように浮揚羽を広げ、上空から滑空しているのを見ると遊び方が増える一方、倒立滑空は実に面白さがある。
【図面の簡単な説明】
【図１】強制開脚羽滑空機、分離装置、推進発生器、空気分離栓、立体図である。
【図２】強制開脚羽滑空機、構成立体図である。
【図３】揺動装置の構成断面図である。
【図４】強制開脚羽滑空機と分離装置の立体関係図である。
【図５】推進発生器と空気分離栓の立体関係図である
【図６】向かい角の調整図である。
【図７】コニング角の調整図である。
【図８】浮揚羽の調整の上面図である。
【図９】推進発生器頭部が圧縮空気による膨らみ図である。
【図１０】強制開脚羽滑空機装置とポンプの立体関係図である。
【図１１】分離時の強制開脚羽滑空機の滑空図である。
【図１２】分離時の強制開脚羽滑空機の倒立滑空図である。
【符号の説明】
１  ノーズコーン
２  水
３  浮揚羽揺動装置
４  コニング調整螺子
５  縁部部
６  補強板
７  通し穴
８  当て板
９  弾性力発生部位９
１０  浮揚羽
１１  分離案内掛止部
１２  分離案内管
１３  調整ブラケット
１４  推進発生器
１５  揺動管
１６  向かい角調整螺子
１７  コニング調整ナット
１８  浮揚羽取り付け螺子
１９  支柱部位部位
２０  案内螺子
２１  分離案内部位
２２  風向
２３  口元
２４  空気注入管
２５  ゴム栓
２６  コニング角
２７  強制開脚羽滑空機
２８  分離装置
２９  突設部
３０  揺動管螺子
３１  支持部位
３２  固定螺子
３３  支点軸
３４  向かい角
３５  空気分離栓
３６  風向
３７，３８  掛止部
３９  空気ポンプ
４０  突出し量
４１  膨らみ量
４２  発射台
４３  ノズル
【図１】
2004160089.tif 000003
【図２】
2004160089.tif 000004
【図３】
2004160089.tif 000005
【図４】
2004160089.tif 000006
【図５】
2004160089.tif 000007
【図６】
2004160089.tif 000008
【図７】
2004160089.tif 000009
【図８】
2004160089.tif 000010
【図９】
2004160089.tif 000011
【図１０】
2004160089.tif 000012
【図１１】
2004160089.tif 000013
【図１２】
2004160089.tif 000014